(57)【要約】【課題】光の取り出し効率を低下させることなく、簡易な構成で、２画面表示が可能な発光装置を提供する。【解決手段】本発明に係る発光装置２０は、基板２１上に形成された反射層２２と、反射層２２上に形成された発光層２７と、発光層２７上に形成され、発光層２７からの光の一部を透過させる一方、他を反射可能な半反射層２５と、を含む発光素子Ｕを備える。発光素子Ｕは、発光層２７から出射された光のうち、反射層２２の法線方向に対して０度よりも大きな所定の角度θで進行する光を、反射層２２と半反射層２５との間で共振させて半反射層２５側から取り出す光共振器構造を有する。【選択図】      図２
2012079575.tif 000002
【特許請求の範囲】
【請求項１】
基板上に形成された反射層と、
前記反射層上に形成された発光層と、
前記発光層上に形成され、前記発光層からの光の一部を透過させる一方、他を反射可能な半反射層と、を含む発光素子を備えた発光装置であって、
前記発光素子は、
前記発光層から出射された光のうち、前記反射層の法線方向に対して０度よりも大きな所定の角度θで進行する光を、前記反射層と前記半反射層との間で共振させて前記半反射層側から取り出す光共振器構造を有する、
ことを特徴とする発光装置。
【請求項２】
前記反射層と前記半反射層との間の間隔をＬ、前記発光層から出射された光の波長をλとしたとき、前記間隔Ｌは、以下の関係を満たすように設定される、
ことを特徴とする請求項１に記載の発光装置。
２Ｌ／ｃｏｓθ＝ｍ×λ（ｍは自然数）
【請求項３】
前記角度θは、前記発光層から出射された光のうち当該角度θで前記半反射層へ向かって進行する光が、前記半反射層にて全反射しないような角度に設定される、
ことを特徴とする請求項１または請求項２に記載の発光装置。
【請求項４】
各々の発光色が異なる複数の前記発光素子でひとつの組が構成され、前記基板上には、複数の前記組が配置され、
前記複数の発光素子と1対１に対応するとともに、対応する前記発光素子からの共振光を取り込むように配置された複数のカラーフィルタをさらに備える、
ことを特徴とする請求項１から請求項３の何れかに記載の発光装置。
【請求項５】
前記発光層と前記反射層との間に配置されて、前記発光素子の一方の電極として機能する透明導電層をさらに備え、
前記半反射層は、前記発光素子の他方の電極として機能する、
ことを特徴とする請求項１から請求項４の何れかに記載の発光装置。
【請求項６】
前記発光層と前記反射層との間に配置されて、前記発光素子の一方の電極として機能する透明導電層と、
前記透明導電層と前記反射層との間に配置されて、光透過性を有する絶縁層と、をさらに備え、
前記半反射層は、前記発光素子の他方の電極として機能する、
ことを特徴とする請求項１から請求項４の何れかに記載の発光装置。
【請求項７】
請求項１から請求項６の何れかに記載の発光装置を備えた電子機器。
【発明の詳細な説明】
【技術分野】
【０００１】
本発明は、発光装置および電子機器に関する。
【背景技術】
【０００２】
従来、発光素子からの出射光を、互いに異なる２方向に出力することで、２つの異なる観察領域のそれぞれに対して表示映像を提供可能な（２画面表示が可能な）発光装置が知られている。例えば特許文献１には、レンチキュラレンズを用いて、２画面表示を実現する発光装置が開示されている。また、例えば特許文献２には、視差バリア（パララックスバリア）を用いて、２画面表示を実現する発光装置が開示されている。
【先行技術文献】
【特許文献】
【０００３】
【特許文献１】特開２００６−２５９１９２号公報
【特許文献２】特表２００８−５２７４４０号公報
【発明の概要】
【発明が解決しようとする課題】
【０００４】
しかしながら、特許文献１の技術では、レンチキュラレンズを設ける必要があるので、コストが高くなるとともに組立の工数が増大するという問題がある。特許文献２の技術でも、同様の問題がある。さらに、特許文献２の技術では、発光素子からの出射光のうち所望の方向以外に進行する光は視差バリアに吸収されるので、光の取り出し効率が低下してしまうという問題もある。
以上の事情に鑑みて、本発明は、光の取り出し効率を低下させることなく、簡易な構成で、２画面表示が可能な発光装置を提供することを解決課題とする。
【課題を解決するための手段】
【０００５】
以上の課題を解決するために、本発明に係る発光装置は、基板上に形成された反射層と、反射層上に形成された発光層と、発光層上に形成され、発光層からの光の一部を透過させる一方、他を反射可能な半反射層と、を含む発光素子を備えた発光装置であって、発光素子は、発光層から出射された光のうち、反射層の法線方向に対して０度よりも大きな所定の角度θで進行する光を、反射層と半反射層との間で共振させて半反射層側から取り出す光共振器構造を有することを特徴とする。
【０００６】
本発明によれば、発光層から出射された光のうち、反射層の法線方向に対して所定の角度θ（θ＞０）で進行する光が、反射層と半反射層との間で共振して半反射層側から取り出される。ここで、発光層から出射された光のうち、反射層の法線方向に対して所定の角度θで進行する光には、反射層の法線方向に対して時計回りの方向に角度θだけ傾いた方向に沿って進行する光と、当該法線方向に対して反時計回りの方向に角度θだけ傾いた方向に沿って進行する光とが含まれる。つまり、本発明によれば、それぞれが互いに異なる方向（正面方向以外の方向）に進行する２つの共振光が、ひとつの発光素子から出射されるので、レンチキュラレンズや視差バリアを設けることなく、２画面表示が可能になる。したがって、光の取り出し効率を低下させることなく、簡易な構成で、２画面表示が可能な発光装置を実現できるという利点がある。
【０００７】
本発明に係る発光装置の具体的な態様として、反射層と半反射層との間の間隔をＬ、発光層から出射された光の波長をλとしたとき、間隔Ｌは、以下の関係を満たすように設定される。
２Ｌ／ｃｏｓθ＝ｍ×λ（ｍは自然数）
間隔Ｌが、上述の関係を満たすように設定されることで、発光層から出射された波長λの光のうち、反射層の法線方向に対して所定の角度θで進行する光が、反射層と半反射層との間で共振して半反射層側から取り出されるという具合である。
【０００８】
また、角度θで半反射層へ向かって進行する光が、半反射層にて全反射してしまうと、共振光を半反射層から取り出すことができなくなるので、角度θは、当該角度θで半反射層へ向かって進行する光が、半反射層にて全反射しないような角度に設定されることが好ましい。
【０００９】
また、本発明に係る発光装置の態様として、各々の発光色が異なる複数の発光素子でひとつの組が構成され、基板上には、複数の組が配置され、複数の発光素子と1対１に対応するとともに、対応する発光素子からの共振光を取り込むように配置された複数のカラーフィルタをさらに備える態様であってもよい。各カラーフィルタは、対応する発光素子から出射された共振光を取り込むように配置されるので、例えば、互いに隣接するとともにそれぞれの発光色が異なる２つの発光素子の各々から共振光が出射されても、それぞれの出射光が混ざって混色が発生することを防止できるという利点がある。
【００１０】
また、本発明に係る発光装置の態様として、発光層と反射層との間に配置されて、発光素子の一方の電極として機能する透明導電層をさらに備え、半反射層は、発光素子の他方の電極として機能する態様であってもよい。また、本発明に係る発光装置の態様として、発光層と反射層との間に配置されて、発光素子の一方の電極として機能する透明導電層と、透明導電層と反射層との間に配置されて、光透過性を有する絶縁層と、をさらに備え、半反射層は、発光素子の他方の電極として機能する態様であってもよい。
【００１１】
ここで、透明導電層と反射層とが直接接続される態様では、反射層の材料として、透明導電層と反射層との接続抵抗が、透明導電層の導電性を十分に確保可能な範囲内に収まるような材料を選定する必要があるが、透明導電層と反射層との間に絶縁層が配置される態様では、反射層の材料として如何なる材料を選定しても、その選定結果が透明導電層の導電性に影響を及ぼすことはないので、反射層の材料選択の自由度が高まるという利点がある。
【００１２】
さらに、本発明に係る発光装置は各種の電子機器に利用される。例えば、本発明に係る発光装置は、ユーザーの頭部に装着されて映像を表示するヘッドマウントディスプレイ（Head Mounted Display）に適用することも可能である。
【図面の簡単な説明】
【００１３】
【図１】本発明の実施形態に係るヘッドマウントディスプレイの概略構成を示す平面図である。
【図２】同実施形態に係る発光装置の概要を示す模式的な断面図である。
【図３】発光素子からの出射光の特性を示す図である。
【図４】対比例に係る発光素子からの出射光の特性を示す図である。
【図５】本発明の変形例に係る発光装置の概要を示す模式的な断面図である。
【図６】本発明の変形例に係る発光装置の概要を示す模式的な断面図である。
【発明を実施するための形態】
【００１４】
＜１．実施形態＞
図１は、本発明の実施形態に係るヘッドマウントディスプレイ（以下、「ＨＭＤ」と呼ぶ）１００の概略構成を示す平面図である。ＨＭＤ１００は、人間（ユーザー）の頭部に装着される眼鏡状の表示装置であり、左目に対応するレンズ１１Ｌと、右目に対応するレンズ１１Ｒと、左耳に掛けるツル部１２Ｌと、右耳に掛けるツル部１２Ｒと、表示映像を生成する発光装置２０とを含む。レンズ１１Ｌの左端部にはツル部１２Ｌが取り付けられており、レンズ１１Ｒの右端部にはツル部１２Ｒが取り付けられている。ＨＭＤ１００は、ツル部１２Ｌを左耳に掛け、ツル部１２Ｒを右耳に掛け、図示しないノーズパッドを鼻に当てることで、ユーザーの頭部に装着される。
【００１５】
後述するように、発光装置２０が生成する表示映像は、左右の斜め方向にそれぞれ出射される。ここでは、図１に示すように、左斜めの方向に出射される表示映像（左目に導かれるべき表示映像）を「第１映像光」と呼び、右斜めの方向に出射される表示映像（右目に導かれるべき表示映像）を「第２映像光」と呼ぶ。本実施形態では、第１映像光および第２映像光は同一の映像である。
【００１６】
図１に示すように、発光装置２０とレンズ１１Ｌとの間には、サブレンズ３０Ｌが配置される。また、サブレンズ３０Ｌとレンズ１１Ｌとの間には導光板４０Ｌが配置され、当該導光板４０Ｌは、レンズ１１Ｌの頭部側に固定されている。また、図１に示すように、発光装置２０とレンズ１１Ｒとの間には、サブレンズ３０Ｒが配置される。
一方、図１に示すように、発光装置２０とレンズ１１Ｒとの間には、サブレンズ３０Ｒが配置される。また、サブレンズ３０Ｒとレンズ１１Ｒとの間には導光板４０Ｒが配置され、当該導光板４０Ｒは、レンズ１１Ｒの頭部側に固定されている。
【００１７】
発光装置２０から出射された第１映像光は、まずサブレンズ３０Ｌに到達する。サブレンズ３０Ｌは、当該第１映像光を導光板４０Ｌへ導く。そして、導光板４０Ｌは、当該第１映像光をユーザーの左目へ導く。同様にして、発光装置２０から出射された第２映像光は、まずサブレンズ３０Ｒに到達する。サブレンズ３０Ｒは、当該第２映像光を導光板４０Ｒへ導く。そして、導光板４０Ｒは、当該第２映像光をユーザーの右目へ導く。このようにして、ユーザーの左右両目に同一の表示映像が映されるという具合である。
【００１８】
図２は、発光装置２０の概要を示す模式的な断面図である。発光装置２０は、複数の発光素子Ｕが基板２１の表面上に配列された構成である。本実施形態では、「Ｒ（赤色）」、「Ｇ（緑色）」、「Ｂ（青色）」の各色を発光する３個の発光素子Ｕでひとつの画素（組）が構成され、基板２１の表面上には複数の画素が配置されるという具合である。説明の便宜上、図２においては、ひとつの発光素子Ｕのみが例示されている。
【００１９】
詳細な図示は省略するが、発光装置２０は、基板２１上の各画素を駆動するための駆動部を備え、当該駆動部には、外部装置（不図示）からの画像信号が供給される。画像信号は、基板２１上に配置された各画素の発光色を指定する信号である。より具体的には、画像信号は、各画素の発光色を構成する３種類の原色成分（赤色、緑色および青色）の各々について個別に階調を指定する信号である。駆動部は、当該画像信号に基づいて各画素を駆動し、各画素からの出射光によって表示映像が生成されるという具合である。
【００２０】
本実施形態では、発光素子Ｕにて発生した光は基板２１とは反対側に向かって進行する（いわゆるトップエミッション）。したがって、ガラスなどの光透過性を有する板材のほか、セラミックスや金属のシートなど不透明な板材を基板２１として採用することが可能である。なお、基板２１には、発光素子Ｕに給電して発光させるための配線が配置されているが、配線の図示は省略する。また、基板２１には、発光素子Ｕに給電するための回路が配置されているが、回路の図示は省略する。
【００２１】
さらに、基板２１の表面上の空間は、絶縁性の隔壁（不図示）によって発光素子Ｕごとに仕切られている。ここでは、図２を参照しながら、ひとつの発光素子Ｕの具体的な構成を説明するが、他の発光素子Ｕも同様の構成である。図２に示すように、発光素子Ｕは、基板２１上に形成された反射層２２と、反射層２２上に形成された透明導電層２３と、透明導電層２３上に形成された発光機能層２４と、発光機能層２４上に形成された半反射層２５とを備える。以下、詳細な内容を説明する。
【００２２】
図２に示すように、基板２１上には、反射層２２が形成される。反射層２２は、光反射性を有する材料で構成される。この種の材料としては、例えばＡｇなどの単体金属、またはＡｇなどを主成分とする合金が好適に採用される。
【００２３】
図２に示すように、反射層２２上には、透明導電層２３が形成される。透明導電層２３は、発光素子Ｕの陽極として機能し、ＩＴＯ（indium tin oxide）、ＩＺＯ（indium zinc oxide、出光興産株式会社の登録商標）、またはＺｎＯ２のような透明酸化物導電材料から形成される。本実施形態では、発光素子Ｕの一方の電極（ここでは陽極）として機能する透明導電層２３が、反射層２２上に直接形成されるので、反射層２２の材料としては、透明導電層２３と反射層２２との接続抵抗の値が、透明導電層２３の導電性を十分に確保できる範囲内に収まるような材料を選定する必要がある。
【００２４】
図２に示すように、発光機能層２４は、透明導電層２３上に形成された正孔輸送層２６と、正孔輸送層上に形成された発光層２７と、発光層２７上に形成された電子輸送層２８とを含んで構成される。発光層２７は、正孔と電子が結合して発光する有機ＥＬ物質から形成される。本実施形態では、各発光素子Ｕの発光層２７は、Ｒ（赤）、Ｇ（緑）、Ｂ（青）の何れかの色の波長領域の光を発生する有機ＥＬ物質から形成される。
【００２５】
図２に示すように、電子輸送層２８上には、半反射層２５が形成される。半反射層２５は、発光層２７からの光の一部を透過するとともに他を反射可能な性質（半透過反射性）を有し、発光素子Ｕの陰極として機能する。半反射層２５は、例えばＡｇなどの単体金属、またはＡｇなどを主成分とする合金が好適に採用される。
【００２６】
本実施形態に係る発光素子Ｕは、発光層２７から出射された光のうち、反射層２２の法線方向に対して０度よりも大きな所定の角度θで進行する光を、反射層２２と半反射層２５との間で共振させて（発光強度を強めて）半反射層２５側から取り出す光共振器構造を有する。以下、図２を参照しながら、その具体的な内容を説明する。
【００２７】
ここでは、図２に示すように、発光層２７から出射された光のうち、反射層２２の法線方向に対して０度よりも大きな所定の角度θで半反射層２５へ向かって進行し、他の層で反射することなく、半反射層２５を直接透過する光をＤと表記する。また、発光層２７から出射された光のうち、半反射層２５および反射層２２の各々で反射した後に、角度θで半反射層２５へ向かって進行して当該半反射層２５を透過する光をＲ２と表記する。この出射光Ｒ２は、まず半反射層２５へ向かって進行し、当該半反射層２５で反射して反射層２２側へ向かって進行する。そして、当該反射層２２で再び反射した後、半反射層２５へ向かって進行して当該半反射層２５を透過するという具合である。さらに、発光層２７から出射された光のうち、反射層２２で反射した後に、角度θで半反射層２５へ向かって進行して当該半反射層２５を透過する光をＲ１と表記する。この出射光Ｒ１は、まず反射層２２へ向かって進行し、当該反射層２２で反射する。そして、反射層２２で反射した後、半反射層２５へ向かって進行して当該半反射層２５を透過するという具合である。
【００２８】
上記出射光Ｄ、Ｒ１およびＲ２を用いて、上述の光共振器構造を形成するのに必要な条件を説明する。説明の便宜上、出射光Ｄが半反射層２５に到達するまでの光学的距離をＬＤ、出射光Ｒ１が半反射層２５に到達するまでの光学的距離をＬＲ１、出射光Ｒ２が最終的に半反射層２５に到達するまでの光学的距離をＬＲ２とそれぞれ表記する。図２に示すように、発光層２７と半反射層２５との間の間隔（法線方向の光学的距離）をｘとすれば、ＬＤ＝ｘ／ｃｏｓθと表される。また、半反射層２５と反射層２２との間の間隔（法線方向の光学的距離）をＬとすれば、ＬＲ１＝２×（Ｌ−ｘ）／ｃｏｓθ＋ＬＤと表すことができる。これを変形して、ＬＲ１＝（２×Ｌ−ｘ）／ｃｏｓθと表される。さらに、ＬＲ２＝２×ＬＤ＋ＬＲ１と表すことができる。これを変形して、ＬＲ２＝（２×Ｌ＋ｘ）／ｃｏｓθと表される。
【００２９】
上述の光共振器構造を形成するためには、ＬＤ、ＬＲ１およびＬＲ２の各々の差が、発光層２７が発する光の波長λの整数倍であることが必要である。したがって、共振条件としては、以下の式（１）〜（３）を満たすことが必要である。なお、以下の式（１）〜（３）におけるｎ，ｎ’，ｎ’’は自然数である。
ＬＲ１−ＬＤ＝２×（Ｌ−ｘ）／ｃｏｓθ＝ｎ×λ  ・・・（１）
ＬＲ２−ＬＲ１＝２×ｘ／ｃｏｓθ＝ｎ’×λ  ・・・（２）
ＬＲ２−ＬＤ＝２×Ｌ／ｃｏｓθ＝ｎ’’×λ  ・・・（３）
【００３０】
上記式（１）〜式（３）を整理すると、結局、共振条件としては、以下の式（４）を満たすことが必要になる。
２×Ｌ／ｃｏｓθ＝ｍ×λ  ・・・（４）
ｍ：自然数。
【００３１】
したがって、本実施形態では、反射層２２と半反射層２５との間の間隔Ｌは、上記式（４）を満たすように設定される。さらに言えば、間隔Ｌは、発光機能層２４の厚みＬｆと、透明導電層Ｌｔの厚みに応じて決定され、ここでは、上記式（４）が満たされるように、透明導電層２３の厚みＬｔが発光素子Ｕごとに調整されている。また、上記角度θは、発光層２７から出射された光のうち当該角度θで半反射層２５へ向かって進行する光が、半反射層２５にて全反射しないような角度に設定される。以上より、発光層２７から出射された光のうち所定の角度θで進行する光を、反射層２２と半反射層２５との間で共振させて（発光強度を強めて）半反射層２５側から取り出すことができる。
【００３２】
ここで、発光層２７から出射された光のうち所定の角度θで進行する光には、反射層２２の法線方向に対して時計回りの方向に角度θだけ傾いた方向に沿って進行する光と、当該法線方向に対して反時計回りに角度θだけ傾いた方向に沿って進行する光とが含まれる。以上においては、発光層２７から出射された光のうち、反射層２２の法線方向に対して時計回りの方向に角度θだけ傾いた方向に沿って進行する光を例に挙げて説明したが、発光層２７から出射された光のうち、反射層２２の法線方向に対して反時計回りの方向に角度θだけ傾いた方向に沿って進行する光についても同様に、反射層２２と半反射層２５との間で共振して半反射層２５側から取り出される。すなわち、本実施形態では、それぞれが互いに異なる方向（正面方向以外の方向）に進行する２つの共振光が、ひとつの発光素子Ｕから出射されるという具合である。
【００３３】
図３は、発光素子Ｕから出射された光の発光強度の特性を示す図であり、半反射層２５から取り出された光（つまりは発光素子Ｕから外部へ出射される光）のうち、半反射層２５の表面から左右の斜め方向にそれぞれ進行する光の発光強度が最大となることが示されている。本実施形態では、各発光素子Ｕから外部へ出射される光のうち、半反射層２５の表面から左斜めの方向に進行する光によって前述の第１映像光が生成され、右斜めの方向に進行する光によって前述の第２映像光が生成されるという具合である。
【００３４】
以上に説明したように、本実施形態では、それぞれが互いに異なる方向に進行する２つの共振光が、ひとつの発光素子Ｕから出射されるので、レンチキュラレンズや視差バリアなどを設けることなく、２画面表示が可能になる。したがって、光の取り出し効率を低下させることなく、簡易な構成で、２画面表示が可能な発光装置を実現できるという利点がある。
【００３５】
いま、半反射層２５の表面から正面方向に進行する共振光が、ひとつの発光素子Ｕから出射される態様（対比例）を想定する。言い換えれば、この対比例は、上述の角度θが０度であって、かつ、反射層２２と半反射層２５との間の間隔Ｌが、上記式（４）を満たすように設定される態様である。図４は、対比例に係る発光素子Ｕから出射された光の発光強度の特性を示す図である。
【００３６】
対比例においては、ひとつの発光素子Ｕから外部へ出射される共振光は、正面方向に進行する共振光のみであるので、ユーザーの左右両目に同一の表示映像を映すとき、ユーザーの左目に導かれるべき表示映像（第１映像光）を生成するための発光素子と、右目に導かれるべき表示映像（第２映像光）を生成するための発光素子とを別々に設ける必要がある。これに対して、本実施形態では、それぞれが互いに異なる方向に進行する２つの共振光が、ひとつの発光素子Ｕから出射されるので、左目に導かれるべき光と右目に導かれるべき光とをひとつの発光素子Ｕで作ることができる。すなわち、本実施形態によれば、第１映像光および第２映像光を生成するための発光素子Ｕの数が、対比例の半分で済むという利点がある。
【００３７】
＜２．変形例＞
本発明は上述した実施形態に限定されるものではなく、例えば、以下の変形が可能である。また、以下に示す変形例のうちの２以上の変形例を組み合わせることもできる。
【００３８】
（１）変形例１
発光装置２０は、例えば図５のように構成されてもよい。図５の態様では、透明導電層２３と反射層２２との間に配置されて、光透過性を有する絶縁層２９をさらに備えている。上述の実施形態では、反射層２２の材料として、透明導電層２３と反射層２２との接続抵抗が、透明導電層２３の導電性を十分に確保できる範囲内に収まるような材料を選定する必要があるが、図５の態様では、絶縁層２９によって透明導電層２３と反射層２２とが絶縁されるので、反射層２２の材料として如何なる材料を選定しても、その選定結果が透明導電層２３の導電性に影響を及ぼすことはない。すなわち、図５の態様によれば、上述の実施形態に比べて、反射層２２の材料選択の自由度が高まるという利点がある。例えば上述の実施形態では、Ａｌを採用することができないのに対して、図５の態様では、Ａｌを採用することができるといった具合である。
【００３９】
（２）変形例２
上述の実施形態では、各発光素子Ｕの透明導電層２３の厚みＬｔを個別に調整することで、上述の光共振器構造を実現しているが、これに限らず、例えば各発光素子Ｕにおける透明導電層２３の厚みＬｔは一定の値に固定され、各発光機能層２４の厚みＬｆが個別に調整されることで、上述の光共振器構造を実現することもできる。この態様によれば、各発光素子Ｕの透明導電層２３の厚みＬｔを個別に調整する必要が無いので、結果として、発光装置２０の製造が容易になるという利点がある。
【００４０】
（３）変形例３
例えば、複数の発光素子Ｕと１対１に対応するとともに、対応する発光素子Ｕから出射された共振光を取り込むように配置された複数のカラーフィルタをさらに備える態様であってもよい。各カラーフィルタは、対応する発光素子Ｕから出射された共振光を取り込むように配置されるので、例えば、互いに隣接するとともにそれぞれの発光色が異なる２つの発光素子Ｕの各々から共振光が出射されても、それぞれの出射光が混ざって混色が発生することを防止できるという利点がある。
【００４１】
（４）変形例４
上述の実施形態では、左目に入射されるべき表示映像（第１映像光）と、右目に入射されるべき表示映像（第２映像光）とは同一の映像であるが、これに限らず、例えば第１映像光と第２映像光が互いに異なる映像であってもよい。この態様では、第１映像光と第２映像光との視差によって、ＨＭＤの装着者に立体画像を認識させることもできる。つまり、本発明に係る発光装置は、立体画像を装着者に認識させる３Ｄ用のヘッドマウントディスプレイに適用することも可能である。
【００４２】
この態様では、図６に示すように、基板２１上には、第１映像光を生成するための複数の発光素子（図６ではＵｌと表記）と、第２映像光を生成するための複数の発光素子（図６ではＵｒと表記）とが配列される。また、各発光素子Ｕｌから出射される２つの共振光のうち左斜め方向に進行する共振光のみを観察側へ導くとともに、各発光素子Ｕｒから出射される２つの共振光のうち右斜め方向に進行する共振光のみを観察側へ導くためのスリット５０が設けられている。
【００４３】
図６に示すように、各発光素子Ｕｌから出射される２つの共振光のうち、左斜め方向に進行する共振光は観察側へ導かれる一方、右斜め方向に進行する共振光はスリット５０によって観察側への進行を遮られる。そして、観察側に導かれた左斜め方向の共振光は、前述したように、サブレンズ３０Ｌおよび導光板４０Ｌを介して、ユーザーの左目に導かれるという具合である。また、図６に示すように、各発光素子Ｕｒから出射される２つの共振光のうち、右斜め方向に進行する共振光は観察側へ導かれる一方、左斜め方向に進行する共振光はスリット５０によって観察側への進行を遮られる。そして、観察側に導かれた右斜め方向の共振光は、前述したように、サブレンズ３０Ｒおよび導光板４０Ｒを介して、ユーザーの右目に導かれるという具合である。
【００４４】
（５）変形例５
上述の各実施形態においては、透明導電層２３は発光素子Ｕの陽極であり、半反射層２５は発光素子Ｕの陰極であるが、透明導電層２３を陰極とし、半反射層２５を陽極とすることもできる。
また、上述の実施形態では、各発光素子Ｕの発光層２７は、Ｒ（赤）、Ｇ（緑）、Ｂ（青）の何れかの色の波長領域の光を発する有機ＥＬ物質から形成されているが、これに限らず、各発光層２７が、白色の波長領域の光を発生する有機ＥＬ物質から形成することもできる。この態様では、各発光素子Ｕから取り出したい色のピーク波長λ、間隔Ｌおよび角度θの関係が上記式（４）を満たすように、各間隔Ｌが個別に設定されるという具合である。
【符号の説明】
【００４５】
１１Ｌ，１１Ｒ……レンズ、１２Ｌ，１２Ｒ……ツル部、２０……発光装置、２１……基板、２２……反射層、２３……透明導電層、２４……発光機能層、２５……半反射層、２６……正孔輸送層、２７……発光層、２８……電子輸送層、２９……絶縁層、３０Ｌ，３０Ｒ……サブレンズ、４０Ｌ，４０Ｒ……導光板、５０……スリット、１００……ヘッドマウントディスプレイ、Ｌ……反射層と半反射層との間の間隔、Ｕ……発光素子、λ……波長。
【図１】
2012079575.tif 000003
【図２】
2012079575.tif 000004
【図３】
2012079575.tif 000005
【図４】
2012079575.tif 000006
【図５】
2012079575.tif 000007
【図６】
2012079575.tif 000008